(57)【要約】【課題】  タグ情報を目で見ることが出来るようにするとともに、タグを簡単に見つけることができるようにする。【解決手段】タグ端末装置２はメモリに書き込まれたタグ情報を表示する電子ペーパー式表示部６と無線モジュール１２とを備えている。ホストコンピュータ１０はタグ端末装置２の位置を検出するためのプログラムを内蔵し、無線通信機能を備えている。エリアマーカー１４は、識別情報を所定の範囲内に発信するように設定され、複数用意されている。複数のエリアマーカー１４の各電波到達ゾーン内にタグ端末装置２を配置し、ホストコンピュータ１０が、タグ端末装置２の受信したエリアマーカー１４の識別情報からタグ端末装置２の大凡の位置を検出する。【選択図】  図１
2011043368.tif 000002
【特許請求の範囲】
【請求項１】
メモリに書き込まれたタグ情報を表示する電子ペーパー式表示部と無線モジュールとを備えた複数のタグ端末装置と、前記タグ端末装置の位置を検出するためのプログラムを内蔵し、無線通信機能を備えたホストコンピュータと、識別情報を所定の範囲内に発信するように設定された複数のエリアマーカーとから成るタグ位置検出システムであって、前記複数のエリアマーカーの各電波到達ゾーン内に前記タグ端末装置を配置し、前記ホストコンピュータが、該タグ端末装置の受信した前記エリアマーカーの前記識別情報から前記タグ端末装置の大凡の位置を検出するようにしたことを特徴とするタグ位置検出システム。
【請求項２】
前記エリアマーカーは、メモリにＩＤ又は位置情報等の識別情報を記録し、該識別情報を一定の範囲内に位置するタグ端末装置に発信するようにしたことを特徴とする請求項１に記載のタグ位置検出システム。
【発明の詳細な説明】
【技術分野】
【０００１】
本発明は、人間の目に見えるようにタグ情報を表示する表示部を有する多量のタグ端末装置の大凡の各位置を検出するようにしたタグ位置検出システムに関する。  
【背景技術】
【０００２】
従来、紙のような感覚で利用できる柔らかな素材の極薄の電子表示装置が電子ペーパーとして知られている（例えば特許文献１参照）また、従来、無線タグが知られている（例えば特許文献２参照）
【先行技術文献】
【特許文献】
【０００３】
【特許文献１】特開２００５−１１１８９号
【特許文献２】特開２００９−１７５９２０号
【発明の概要】
【発明が解決しようとする課題】
【０００４】
従来の無線タグは内容が人間に見えないので機器を通じてでないとタグ情報の内容が確認できず、きわめて不便であった。
本発明の第１の目的は、タグ情報を人間が見えるようにすることである。
また、多量のタグがある場合、その場所がわからなくなってしまうという問題点がある。特に財産管理分野において、タグを付けた物品をどこに部屋や倉庫内のどこに保管したか分からなくなってしまい、所望のタグを見つけ出すのに苦労をするということがしばしば生じる。
本発明の第２の目的は上記問題点を解決することである。
【課題を解決するための手段】
【０００５】
上記目的を達成するため本発明は、メモリに書き込まれたタグ情報を表示する電子ペーパー式表示部と無線モジュールとを備えた複数のタグ端末装置と、前記タグ端末装置の位置を検出するためのプログラムを内蔵し、無線通信機能を備えたホストコンピュータと、識別情報を所定の範囲内に発信するように設定された複数のエリアマーカーとから成るタグ位置検出システムであって、前記複数のエリアマーカーの各電波到達ゾーン内に前記タグ端末装置を配置し、前記ホストコンピュータが、該タグ端末装置の受信した前記エリアマーカーの前記識別情報から前記タグ端末装置の大凡の位置を検出するようにしたものである。
また本発明は、前記エリアマーカーは、メモリにＩＤ又は位置情報等の識別情報を記録し、該識別情報を一定の範囲内に位置するタグ端末装置に発信するようにしたものである。
【発明の効果】
【０００６】
本発明はタグ情報を目で見ることができるとともに、多数のタグの中、所望のタグを簡単に見つけ出すことができる。
【図面の簡単な説明】
【０００７】
【図１】本システムの説明図である。
【図２】タグ端末装置の説明図である。
【図３】タグ端末装置のブロックダイアグラムである。
【図４】本システムの説明図である。
【図５】エリアマーカーの説明図である。
【発明を実施するための形態】
【０００８】
以下に本発明の構成を添付した図面を参照して詳細に説明する。
図３は本システムの主たる構成要素であるアクティブタグ端末装置（以下端末装置と称する）の構成を示している。本端末装置２は、メイン基板４と、電子ペーパーからなる表示部６とから構成され、これらはケーシング８に内置されている。
【０００９】
本実施形態では、表示部６を構成する電子ペーパーにコレステリック液晶を使用している。表示部６とメイン基板４は、一体的に構成され、メイン基板４に設けられた主制御ＣＰＵによって、表示部６の透明電極に形成された表示電子回路が制御され、メイン基板４のメモリに書き込まれた文字、あるいは画像等のタグデータが表示部６に可視化されるように構成されている。
【００１０】
前記メイン基板４には、図１に示す統括通信用ホストコンピュータ１０との間で、無線通信を行うためのホスト通信用無線モジュール１２（無線通信用送受信器）と、タグ位置検出用のエリアマーカー１４の無線モジュール１６（無線通信用送受信器）との間で無線通信を行うためのエリアマーカー通信用無線モジュール１８（無線通信用送受信器）と、電源回路２０が設置され、それぞれ図示の如く結線されている。
【００１１】
本端末装置２のケーシング８には、リチュウムイオン電池２２が脱着可能に格納され、該リチュウムイオン電池２２は前記電源回路２０に接続している。ケーシング８の裏面は、はく離可能な接着面となっており、本端末装置２を任意の物品に簡単に貼り付けることができるようになっている。本システムで使用するエリアマーカー１４は、ホストコンピュータ１０からの指令を受信する機能と、本端末装置２へ位置情報を発信する機能を有する無線モジュール１６（無線用送受信器）が図５に示すように基板２４に接続している。
【００１２】
基板２４の電子回路には、リチュウムイオン電池２６から電源回路２８を介して電源が供給される。基板２４は、脱着自在な接着面を有するカバーと一体的に構成され、このカバーによって平坦な壁面などの平板面にエリアマーカー１４を脱着自在に接着させることができるようになっている。
【００１３】
エリアマーカー１４の無線モジュール１６の送信器は、電波出力の到達範囲が一定範囲例えば、半径１〜２ｍの所定の範囲のゾーンに設定されている。エリアマーカー１４は、内部メモリにＩＤや位置情報を格納し、ホストコンピュータ１０からの指令を無線モジュール１６の受信器が受信すると、送信器が、内部メモリにセットされているＩＤや位置情報などの識別情報をエリアマーカー１４の周囲のゾーンに発信するように構成されている。
【００１４】
ホストコンピュータ１０のメモリには、本端末装置２の大凡の位置を検出するためのプログラムが格納されるとともに、図４に示すように、受信エリアマーカー受信一覧表３２が格納されており、このテーブル３２に基づいて、ホストコンピュータ１０は、各場所に配置された複数の本端末装置２の大凡の位置を認識し、ディスプレイに表示することができるようになっている。
【００１５】
次に本システムの動作について説明する。
まず、倉庫等の、本端末装置２を貼付した物品を保管する部屋３４の所定の複数の場所例えば各棚３６，３６，３６ごとに、識別番号を有するエリアマーカー１４，１４，１４を、部屋３４に配置することで、部屋３４の中は、各エリアマーカー１４，１４，１４の電波到達範囲に対応する複数の電波到達ゾーン３８，３８，３８に分割される。
【００１６】
本端末装置２を貼付した物品を各棚３６，３６，３６に１個又は複数個配置し、保管する。各物品に貼付された本端末装置２のメモリには、物品の購入年月日、メーカー名、点検データ等のタグ情報が書き込まれており、これらのタグ情報は常時、あるいは、ホストコンピュータ１０から表示指令を受信したとき、表示部６に表示される。
【００１７】
物品の管理者が、部屋の中の特定の物品を探す場合は、ホストコンピュータ１０から無線モジュール４０を通じて各エリアマーカー１４に、発信指令を出す。この発信指令を受信した各エリアマーカー１４は、無線モジュール１６を通じて、周囲のゾーン３８に識別情報（位置情報）を発信する。
【００１８】
エリアマーカー１４から発信された位置情報（識別情報）は、対応するゾーン３８内及びその近傍の、本端末装置２のエリアマーカー通信用無端モジュール１８により受信される。受信された位置情報（識別情報）は、メイン基板４のＣＰＵの制御により、無線モジュール１２を通じて、ホストコンピュータ１０に送信される。
【００１９】
各端末装置２から送られてきた位置情報（識別情報）に基づいて、ホストコンピュータ１０のディスプレイには、各端末装置２の大凡の位置が「エリアマーカー１の近く」又は「エリアマーカー１，２の近く」というように表示される。これにより管理者は、特定の物品の大凡の場所を知ることができる。各々に識別番号の付いた各エリアマーカーの設置位置は、予め管理者によって記録されていることは言うまでもない。
【００２０】
上記実施形態では、エリアマーカー１４は、リチュウムイオン電池２６によってアクティブに位置情報（識別情報）を発信し、対応するゾーン３８内の端末装置２が、この位置情報（識別情報）を受信する構成としたがこの構成に特に限定されるものではなく、エリアマーカー１４は、ゾーン内の端末装置２からの電波エネルギーを電源として、ＩＤなどの位置情報を発信する無電池式の構成としても良い。
【符号の説明】
【００２１】
２    端末装置
４    メイン基板
６    表示部
８    ケーシング
１０    ホストコンピュータ
１２    ホスト通信用無線モジュール
１４    エリアマーカー
１６    無線モジュール
１８    エリアマーカー通信用無線モジュール
２０    電源回路
２２    リチュウムイオン電池
２４    基板
２６    リチュウムイオン電池
２８    電源回路
３２    受信一覧表
３４    部屋
３６    棚
３８    ゾーン
４０    無線モジュール
【図１】
2011043368.tif 000003
【図２】
2011043368.tif 000004
【図３】
2011043368.tif 000005
【図４】
2011043368.tif 000006
【図５】
2011043368.tif 000007